(57)【要約】【課題】指針の反射面でのロスを低減して、指針を高輝度で発光させることができる指針照明装置を提供する。【解決手段】導光部材２２において、光源２１からの光Ｌは、第１の導光用反射面Ｍ５１で反射され略平行光線に変換され、さらに第２の導光用反射面Ｍ５２で反射されて指針部材２０の入射面Ｍ１に導かれる。指針部材２０は、入射面Ｍ１に入射された光を第１の指針用反射面Ｍ２１、第２の指針用反射面Ｍ２２で反射して指針先端に導く。【選択図】図１
2008197083.tif 000002
【特許請求の範囲】
【請求項１】
所定の入射面に入射された光を反射して指針先端に導く指針用反射面を有する光透過性の指針部材と、該指針部材の駆動軸の周囲に配置された光源と、該光源からの光を前記指針部材の入射面に導く光透過性の導光部材とを備えた指針照明装置において、
前記導光部材が、前記光源からの光を反射して略平行光線に変換するように、前記光源から離れるに従って前記光源の中心軸との成す角度が小さくなる面に設けられた第１の導光用反射面を有し、前記平行光線を前記入射面に導くように設けられた
ことを特徴とする指針照明装置。
【請求項２】
前記導光部材の前記光源と対向する入射面が、前記光源の中心軸上が前記光源から離れた側に向かって最も凹む凹面に設けられたことを特徴とする請求項１に記載の指針照明装置。
【請求項３】
前記第１の導光用反射面が、前記光源を焦点とする放物面に設けられている
ことを特徴とする請求項１又は２に記載の指針照明装置。
【請求項４】
所定の入射面に入射された光を反射して指針先端に導く指針用反射面を有する光透過性の指針部材と、該指針部材の駆動軸の周囲に配置された光源と、該光源からの光を前記指針部材の入射面に導く光透過性の導光部材とを備えた指針照明装置において、
前記導光部材が、前記駆動軸側に設けられた第１の導光用反射面と、前記駆動軸側から離れた側に設けられた第２の導光用反射面とを有していて、前記第１の導光用反射面及び前記第２の導光用反射面で反射された光を前記入射面に導くように設けられ、そして、
前記第２の導光用反射面が、前記光源からの光を反射して集光させつつ前記第１の導光用反射面に導くように、光源から離れるに従って前記光源の中心軸との成す角度が大きくなる面に設けられ、
前記第１の導光用反射面が、前記第２の導光用反射面からの光を反射して略平行光線に変換するように、前記光源から離れるに従って前記光源の中心軸との成す角度が大きくなる面に設けられた
ことを特徴とする指針照明装置。
【請求項５】
前記第２の導光用反射面が、少なくとも前記光源の中心軸上に設けられている
ことを特徴とする請求項４記載の指針照明装置。
【請求項６】
前記光源が、その中心軸が前記駆動軸と平行になるように配置された指針照明装置であって、
前記導光部材が、前記第１の導光用反射面で変換された前記駆動軸と平行な平行光線を前記駆動軸に向かって反射して前記入射面に導く第３の導光用反射面を有する
ことを特徴とする請求項１〜５何れか１項に記載の指針照明装置。
【請求項７】
前記指針用反射面が、正面の指針後端に設けられ入射された光を指針先端に向けて反射する第１の指針用反射面と、前記駆動軸の軸受部が突設された凹部に設けられ前記入射面から入射された光を前記第１の指針用反射面に向けて反射する第２の指針用反射面とを有する
ことを特徴とする請求項１〜６何れか１項に記載の指針照明装置。
【請求項８】
前記第１の指針用反射面が、前記駆動軸よりも指針後端側に設けられた指針照明装置であって、
前記凹部のうち最も正面側の頂点が前記軸受部よりも指針後端側に設けられている
ことを特徴とする請求項７に記載の指針照明装置。
【請求項９】
前記第１の指針用反射面が、前記駆動軸よりも指針後端側に設けられた指針照明装置であって、
前記指針部材が、前記第１の指針用反射面が設けられた指針本体部と、前記入射面及び前記第２の指針用反射面が設けられた光導入部とを有し、そして、
前記光導入部が、前記第２の指針用反射面から反射された光を前記第１の指針用反射面に向けて屈折する屈折面を有する
ことを特徴とする請求項７に記載の指針照明装置。
【請求項１０】
前記指針部材が、指針本体部と、前記入射面が設けられた光導入部とを有する指針照明装置であって、
前記指針用反射面が、前記指針本体部の駆動軸よりも後端側に設けられ入射された光を指針先端に向けて反射する第１の指針用反射面と、前記光導入部に設けられ前記入射面から入射された光を前記駆動軸に反射させる第２の指針用反射面とを有し、
そして、前記光導入部が、前記第２の指針用反射面から反射された光を前記第１の指針用反射面に向けて屈折する屈折面を有することを特徴とする請求項１〜６何れか１項に記載の指針照明装置。
【発明の詳細な説明】
【技術分野】
【０００１】
本発明は、指針照明装置に係り、特に、所定の入射面に入射された光を反射して指針先端に導く指針用反射面を有する光透過性の指針部材と、該指針部材の駆動軸の周囲に配置された光源と、該光源からの光を前記指針部材の入射面に導く光透過性の導光部材とを備えた指針照明装置に関するものである。
【背景技術】
【０００２】
現在、自動車用メータの指針は、夜間照明機能付きメータ、自発光メータ共に夜間及び通常使用時の視認性確保の為、照明機能を有している。照明方法は、図１６に示す様にメータ基板１上に設置された光源２（バルブ、ＬＥＤ）の光Ｌを、指針３側の受光面４により指針３内に導入、最終的にホットスタンプ、微細プリズムなどによる拡散／反射層５を用いて光Ｌを指針３外に出射させ、照明を行っている。
【０００３】
また、デザイン上の要求（出来るだけ指針３は細く、明るくしたい）、指針３重量の制限（指針回転駆動用モータの駆動対象の重量制限）より、指針３側の受光面４の面積は小さくせざるを得ない。その為、指針３が回転するエリア内全てで、明るく、輝度ムラのない指針照明を実現する為に、図１７の様に光源２を複数個設置している。しかし、同図斜線で示すように実際には指針３の受光面４の面積が小さい為、複数個ある光源２から出射される光Ｌのうち、一部の光Ｌしか指針３内に入射しておらず、非常にロスが大きい。
【０００４】
上記のロスが大きい問題点を解決する為、特許文献１では図１８の様に複数の光源２からの光Ｌを光導入部材６内の第１反射面７を用いて軸付近に集光、集光した光Ｌを第３反射面９方向に反射させる第２反射面８を経由して、最終的に第３反射面９により反射された光Ｌが指針３内に入光される。
【０００５】
また、光源２から出射される光Ｌがある出射角度を持っていた場合、各反射面７、８、９には様々な角度で光が入射する。光導入部材６のうちの各反射面７、８、９は単純な傾斜、もしくは曲面となっており、全反射を満たす条件で入射する光Ｌのみ反射させる事が可能となる。光源２からの角度を持って出射される光Ｌを出来るだけ全反射条件が満たせる角度に光Ｌを絞り込むため、特許文献１では光源２と光導入部材６の間に導光部材１０を設置、光Ｌを絞り込んでいる。
【０００６】
しかし、上記導光部材１０のような単純な円筒形状とした場合、図１９に示す様に光源２の出射角度を絞り込むことは可能であるが、出射される光Ｌの平行度は低い。その為、全反射条件に外れた光が外に漏れる反射面７、８、９でロスが生じやすい。つまり、第１反射面７で反射された光Ｌのうち第２反射面８に導かれる光Ｌ、第２反射面８で反射された光Ｌのうち第３反射面９に導かれる光Ｌ、第３反射面９で反射された光Ｌのうち指針３先端に導かれる光Ｌが少なくなり、指針３を高輝度に発光させることができないという問題があった。
【０００７】
また、出射角度を絞ったレンズ付きの光源２が有るが、あまり絞った光Ｌの場合、１つの光源２でカバー出来る範囲が減少する為、指針３回転範囲全てをカバーする為に、出来るだけ多くの光源２が必要となり、コストアップに繋がる。また、各反射面７、８、９にミラー処理を施すことによりロスを低減させることも考えられるが、これもコストアップに繋がる。
【０００８】
また、特許文献１に記載された発明によれば、第３反射面９が指針３の駆動軸１１上に設置されており、実際の指針３の発光領域は、駆動軸１１上の第３反射面９から指針３先端に向けた範囲でしか設置出来ない。しかし、視認性、デザイン性向上の為、可能な限り指針３の発光領域を広く取りたい、駆動軸１１上も発光領域としたいが、特許文献１に記載された発明の構成においては非常に難しい。つまり、視認性、デザイン性両面で制約が出てしまうという問題もあった。
【特許文献１】特開２００４−２９４３４４号公報
【発明の開示】
【発明が解決しようとする課題】
【０００９】
そこで、本発明は、上記のような問題点に着目し、指針の反射面でのロスを低減して、指針を高輝度で発光させることができる指針照明装置を提供することを課題とする。
【課題を解決するための手段】
【００１０】
上記課題を解決するためになされた請求項１記載の発明は、所定の入射面に入射された光を反射して指針先端に導く指針用反射面を有する光透過性の指針部材と、該指針部材の駆動軸の周囲に配置された光源と、該光源からの光を前記指針部材の入射面に導く光透過性の導光部材とを備えた指針照明装置において、前記導光部材が、前記光源からの光を反射して略平行光線に変換するように、前記光源から離れるに従って前記光源の中心軸との成す角度が小さくなる面に設けられた第１の導光用反射面を有し、前記平行光線を前記入射面に導くように設けられたことを特徴とする指針照明装置に存する。
【００１１】
請求項１記載の発明によれば、導光部材の第１の導光用反射面で変換された略平行光線が指針部材の入射面に導かれるので、略平行光線が指針用反射面に入射され、指針用反射面で反射する光のほとんどを指針先端に導くことができる。
【００１２】
請求項２記載の発明は、前記導光部材の前記光源と対向する入射面が、前記光源の中心軸上が前記光源から離れた側に向かって最も凹む凹面に設けられたことを特徴とする請求項１に記載の指針照明装置に存する。
【００１３】
請求項２記載の発明によれば、導光部材の入射面が、光源の中心軸上が光源から離れた側に向かって最も凹む凹面に設けられているので、導光部材の入射面で光源からの光を第１の導光用反射面に向けて屈折することができ、より多くの光を略平行光線に変換することができる。
【００１４】
請求項３記載の発明は、前記第１の導光用反射面が、前記光源を焦点とする放物面に設けられていることを特徴とする請求項１又は２に記載の指針照明装置に存する。
【００１５】
請求項３記載の発明によれば、第１の導光用反射面が、光源を焦点とする放物面に設けられているので、第１の導光用反射面に入射される光の全てを中心軸に沿った略平行光線に変換することができる。
【００１６】
請求項４記載の発明は、所定の入射面に入射された光を反射して指針先端に導く指針用反射面を有する光透過性の指針部材と、該指針部材の駆動軸の周囲に配置された光源と、該光源からの光を前記指針部材の入射面に導く光透過性の導光部材とを備えた指針照明装置において、前記導光部材が、前記駆動軸側に設けられた第１の導光用反射面と、前記駆動軸側から離れた側に設けられた第２の導光用反射面とを有していて、前記第１の導光用反射面及び前記第２の導光用反射面で反射された光を前記入射面に導くように設けられ、そして、前記第２の導光用反射面が、前記光源からの光を反射して集光させつつ前記第１の導光用反射面に導くように、光源から離れるに従って前記光源の中心軸との成す角度が大きくなる面に設けられ、前記第１の導光用反射面が、前記第２の導光用反射面からの光を反射して略平行光線に変換するように、前記光源から離れるに従って前記光源の中心軸との成す角度が大きくなる面に設けられたことを特徴とする指針照明装置に存する。
【００１７】
請求項４記載の発明によれば、導光部材の第１の導光用反射面で変換された略平行光線が指針部材の入射面に導かれるので、略平行光線が指針用反射面に入射され、指針用反射面で反射する光のほとんどを指針先端に導くことができる。また、第２の導光用反射面が、光源からの光を反射して集光させつつ第１の導光用反射面に導くので、第２の導光用反射面により一旦集光した後に第１の導光用反射面で略平行光線に変換される。このため、第２の導光用反射面の集光具合で導光部材の出射面の大きさを制御することができる。即ち、導光部材内に取り込む光量をできるだけ多くする為、導光部材の入射面を大きくしても、高い効率を確保したまま出射面を小さくすることができる。
【００１８】
請求項５記載の発明は、前記第２の導光用反射面が、少なくとも前記光源の中心軸上に設けられていることを特徴とする請求項４記載の指針照明装置に存する。
【００１９】
請求項５記載の発明によれば、第２の導光用反射面が少なくとも光軸の中心軸上に設けられているので、中心軸上の光を確実に略平衡光線に変換することができる。
【００２０】
請求項６記載の発明は、前記光源が、その中心軸が前記駆動軸と平行になるように配置された指針照明装置であって、前記導光部材が、前記第１の導光用反射面で変換された前記駆動軸と平行な平行光線を前記駆動軸に向かって反射して前記入射面に導く第３の導光用反射面を有することを特徴とする請求項１〜５何れか１項に記載の指針照明装置に存する。
【００２１】
請求項６記載の発明によれば、第３の導光用反射面が、第１の導光用反射面で変換された駆動軸と平行な略平行光線を駆動軸に向かって反射して入射面に導くので、指針部材の入射面を駆動軸に沿った面に入射することができ、駆動軸と平行な略平行光線を直接入射面に入射する場合に比べて入射面を大きくすることができる。
【００２２】
請求項７記載の発明は、前記指針用反射面が、正面の指針後端に設けられ入射された光を指針先端に向けて反射する第１の指針用反射面と、前記駆動軸の軸受部が突設された凹部に設けられ前記入射面から入射された光を前記第１の指針用反射面に向けて反射する第２の指針用反射面とを有することを特徴とする請求項１〜６何れか１項に記載の指針照明装置に存する。
【００２３】
請求項７記載の発明によれば、入射面から入射された光が、軸受部が突設された凹部に設けた第２の指針用反射面で反射されて第２の指針用反射面に導かれるので、指針部材の回転位置に関係なく光源から出射された光を第１の指針用反射面に入射することができる。
【００２４】
請求項８記載の発明は、前記第１の指針用反射面が、前記駆動軸よりも指針後端側に設けられた指針照明装置であって、前記凹部のうち最も正面側の頂点が前記軸受部よりも指針後端側に設けられていることを特徴とする請求項７に記載の指針照明装置に存する。
【００２５】
請求項８記載の発明によれば、凹部のうち最も正面側の頂点が軸受部よりも指針後端側に設けられているので、第１の指針用反射面と第２の指針用反射面との距離をそんなに離間させなくても、簡単に第２の指針用反射面に入射した光を駆動軸よりも後端側に設けられている第１の指針用反射面に向けて反射することができる。
【００２６】
請求項９記載の発明は、前記第１の指針用反射面が、前記駆動軸よりも指針後端側に設けられた指針照明装置であって、前記指針部材が、前記第１の指針用反射面が設けられた指針本体部と、前記入射面及び前記第２の指針用反射面が設けられた光導入部とを有し、そして、前記光導入部が、前記第２の指針用反射面から反射された光を前記第１の指針用反射面に向けて屈折する屈折面を有することを特徴とする請求項７に記載の指針照明装置に存する。
【００２７】
請求項９記載の発明によれば、屈折面が第２の指針用反射面から反射された光を第１の指針用反射面に向けて屈折するので、第１の指針用反射面と第２の指針用反射面との距離をそんなに離間させなくても、屈折面によって第２の指針用反射面に入射した光を駆動軸よりも後端側に設けられている第１の指針用反射面に向けて反射することができる。
【００２８】
請求項１０記載の発明は、前記指針部材が、指針本体部と、前記入射面が設けられた光導入部とを有する指針照明装置であって、前記指針用反射面が、前記指針本体部の駆動軸よりも後端側に設けられ入射された光を指針先端に向けて反射する第１の指針用反射面と、前記光導入部に設けられ前記入射面から入射された光を前記駆動軸に反射させる第２の指針用反射面とを有し、そして、前記光導入部が、前記第２の指針用反射面から反射された光を前記第１の指針用反射面に向けて屈折する屈折面を有することを特徴とする請求項１〜６何れか１項に記載の指針照明装置に存する。
【００２９】
請求項１０記載の発明によれば、入射面から入射された光は、第２の指針用反射面で駆動軸方向に反射される。第２の指針用反射面で反射されて屈折面に入射された光は、第１の指針用反射面に向けて屈折される。従って、第１の指針用反射面と第２の指針用反射面との距離をそんなに離間させなくても、屈折面によって第２の指針用反射面に入射した光を駆動軸よりも後端側に設けられている第１の指針用反射面に向けて反射することができる。
【発明の効果】
【００３０】
以上説明したように請求項１記載の発明によれば、略平行光線が指針用反射面に入射され、指針用反射面で反射する光のほとんどを指針先端に導くことができるので、指針の反射面でのロスを低減して、指針を高輝度で発光させることができる。
【００３１】
請求項２記載の発明によれば、導光部材の入射面で光源からの光を第１の導光用反射面に向けて屈折することができ、より多くの光を略平行光線に変換することができるので、より一層、指針の反射面でのロスを低減して、指針を高輝度で発光させることができる。
【００３２】
請求項３記載の発明によれば、第１の導光用反射面に入射される光の全てを中心軸に沿った略平行光線に変換することができるので、より一層、指針の反射面でのロスを低減して、指針を高輝度で発光させることができる。
【００３３】
請求項４記載の発明によれば、略平行光線が指針用反射面に入射され、指針用反射面で反射する光のほとんどを指針先端に導くことができるので、指針の反射面でのロスを低減して、指針を高輝度で発光させることができる。また、導光部材内に取り込む光量をできるだけ多くする為、導光部材の入射面を大きくしても、高い効率を確保したまま出射面を小さくすることができるので、効率的に光源からの光を指針部材に入射することができ、指針を高輝度で発光させることができる。
【００３４】
請求項５記載の発明によれば、中心軸上の光を確実に略平衡光線に変換することができるので、より一層効率的に光源からの光を指針部材に入射することができる。
【００３５】
請求項６記載の発明によれば、指針部材の入射面を駆動軸に沿った面に入射することができ、駆動軸と平行な略平行光線を直接入射面に入射する場合に比べて入射面を大きくすることができるので、効率的に光源からの光を指針部材に入射することができ、指針を高輝度で発光させることができる。
【００３６】
請求項７記載の発明によれば、指針部材の回転位置に関係なく光源から出射された光を第１の指針用反射面に入射することができるので、指針を高輝度で発光させることができる。
【００３７】
請求項８記載の発明によれば、第１の指針用反射面と第２の指針用反射面との距離をそんなに離間させなくても、簡単に第２の指針用反射面に入射した光を駆動軸よりも後端側に設けられている第１の指針用反射面に向けて反射することができるので、限られたスペース内で駆動軸よりも後端側も指針の発光領域にすることができる。
【００３８】
請求項９記載の発明によれば、第１の指針用反射面と第２の指針用反射面との距離をそんなに離間させなくても、屈折面によって第２の指針用反射面に入射した光を駆動軸よりも後端側に設けられている第１の指針用反射面に向けて反射することができるので、限られたスペース内で駆動軸よりも後端側も指針の発光領域にすることができる。
【００３９】
請求項１０記載の発明によれば、第１の指針用反射面と第２の指針用反射面との距離をそんなに離間させなくても、屈折面によって第２の指針用反射面に入射した光を駆動軸よりも後端側に設けられている第１の指針用反射面に向けて反射することができるので、限られたスペース内で駆動軸よりも後端側も指針の発光領域にすることができる。
【発明を実施するための最良の形態】
【００４０】
第１実施形態
以下、第１実施形態における本発明の指針照明装置を図面に基づいて説明する。図１は、本発明の指針照明装置の第１実施形態を示す断面図である。図２（Ａ）〜（Ｃ）はそれぞれ、図１の指針照明装置を構成する導光部材２２の斜視図、正面図及び背面図である。図３は、図２（Ｂ）のＡ−Ａ線断面図である。図４は、図１の指針照明装置を構成する光導入部２８の背面図である。図５（Ａ）〜（Ｃ）はそれぞれ、図１の指針照明装置を構成する光導入部２８の一例を示す断面図である。図６は、図１の指針照明装置を構成する指針本体部の部分断面図である。
【００４１】
同図に示すように、指針照明装置は、指針部材２０と、光源２１と、導光部材２２とを備えている。上記指針部材２０は、光透過性の樹脂（例えば透明ポリメチルメタクリレート（ＰＭＭＡ）、透明ポリカーボネート（ＰＣ）など）から形成される。指針部材２０は、モータ２３の駆動軸２４が取り付けられる軸受部２５が設けられ、駆動軸２４の軸回りに回転する。上記モータ２３は、メータ基板２６の背面側に設けられている。モータ２３の駆動軸２４は、メータ基板２６の正面側に突出して設けられている。
【００４２】
指針部材２０は、入射面Ｍ１に入射された光Ｌを反射して指針先端に導く第１の指針用反射面Ｍ２１及び第２の指針用反射面Ｍ２２を有している。指針部材２０は、第１の指針用反射面Ｍ２１が設けられた指針本体部２７と、入射面Ｍ１及び第２の指針用反射面Ｍ２２が設けられた光導入部２８との２部品から構成されている。
【００４３】
上記光源２１は、メータ基板２６上の駆動軸２４の周囲に複数配置されている。本実施形態では、光源２１は、駆動軸２４を中心とした円上に３つ配置されている。３つの光源２１は、互いに成す角度が１２０°の等間隔で配置されている。図３に示すように、光源２１は、中心軸Ｃ１が駆動軸２４と平行になるようにメータ基板２６上に配置されている。光源２１は、中心軸Ｃ１と出射面Ｍ３との交点を中心とした放射状に光Ｌを発生するとみなせる。
【００４４】
上記導光部材２２は、光透過性の樹脂（例えば透明ＰＭＭＡ、透明ＰＣなど）から形成されている。導光部材２２は、光源２１からの光Ｌを指針部材２０の入射面Ｍ１に導く部材である。図２及び図３に示すように、導光部材２２は、入射面Ｍ４、第１の導光用反射面Ｍ５１、第３の導光用反射面Ｍ５３及び出射面Ｍ６を有する。
【００４５】
上記入射面Ｍ４は、光源２１に向かって突出する突出部２９（図２参照）の頂点に設けられている。突出部２９は、光源２１と同じ数の３つ設けられ、３つの突出部２９は、指針部材２０側で互いに連通する形状となっている。
【００４６】
入射面Ｍ４は、光源２１の中心軸Ｃ１上が光源２１から離れた側に向かって最も凹む凹面に設けられている。詳しくは、入射面Ｍ４は、上記光源２１の中心軸Ｃ１と出射面Ｍ３との交点を中心とした球状の凹面に設けられている。図２（Ｃ）に示すように、入射面Ｍ４は、駆動軸２４を中心とした円Ｒ上に３つ設けられている。入射面Ｍ４は、光源２１と同様に互いに成す角度が１２０°の等間隔で設けられている。図３に示すように、第１の導光用反射面Ｍ５１は、光源２１から出射された放射状の光Ｌを反射して駆動軸２４に沿った略平行光線Ｌｐに変換するように、光源２１から離れるに従って光源２１の中心軸Ｃ１との成す角度θｘが小さくなる曲面に設けられている。詳しくは、第１の導光用反射面Ｍ５１は、その接線Ｌｘと中心軸Ｃ１との成す角度θｘが小さくなるように設けられている。
【００４７】
本実施形態では、第１の導光用反射面Ｍ５１は、光源２１の出射面Ｍ３と中心軸Ｃ１との交点を焦点とした放物面に設けられている。第１の導光用反射面Ｍ５１は、図示しないが図２（Ｂ）のＢ−Ｂ線で切っても光軸２１の中心軸Ｃ１を中心とした放物線状に設けられている。第３の導光用反射面Ｍ５３は、第１の導光用反射面Ｍ５１で変換された駆動軸２４に沿った略平行光線Ｌｐを反射して駆動軸２４に向かう略平行光線Ｌｐに変換する反射面である。
【００４８】
第３の導光用反射面Ｍ５３は、光源２１から離れるに従って駆動軸２４に近づくテーパ状の曲面である。第３の導光用反射面Ｍ５３で反射された略平行光線Ｌｐは、出射面Ｍ６を通って指針部材２０の入射面Ｍ１に入射される。上述した導光部材２２は、文字板３０の背面に配置され、正面からは見えないようになっている。
【００４９】
次に、上記指針部材２０の詳細について説明する。指針部材２０は、その一部が文字板３０に設けた開口から正面側に突出するように設けられている。図６に示すように、上記指針本体部２７には、上記第１の指針用反射面Ｍ２１、第３の指針用反射面Ｍ２３及び射出層３１が設けられている。上記第１の指針用反射面Ｍ２１は、指針本体部２７の後端の正面側に設けられた反射面である。
【００５０】
第１の指針用反射面Ｍ２１は、駆動軸２４よりも指針後端側に設けられている。第１の指針用反射面Ｍ２１は、先端に向かうに従って正面に近づくテーパ状の曲面に形成されている。これにより、第１の指針用反射面Ｍ２１は、入射された光Ｌを指針先端に向けて反射する。なお、第１の指針用反射面Ｍ２１は、キャップ３３（図１参照）に覆われていて、正面からは視認されないようになっている。
【００５１】
第３の指針用反射面Ｍ２３は、第１の指針用反射面Ｍ２１よりも先端側の正面に設けられた反射面である。第３の指針用反射面Ｍ２３は、先端に向かうに従って背面に近づくテーパ状の平面に形成されている。これにより、第３の指針用反射面Ｍ２３は、第１の指針用反射面Ｍ２１で反射された光Ｌを射出層３１に向けて反射する。射出層３１は、反射率の高い白色系のホットスタンプ層が設けられたり、微細プリズム加工が施された層である。射出層３１は、第３の指針用反射面Ｍ２３からの光Ｌを反射して正面に射出する反射層である。
【００５２】
また、上記光導入部２８には、図５に示すように、上記入射面Ｍ１、第２の指針用反射面Ｍ２２及び屈折面Ｍ７が設けられている。図１及び図４に示すように、上記第２の指針用反射面Ｍ２２は、軸受部２５が突設された凹部３２に設けられた反射面である。第２の指針用反射面Ｍ２２は、入射面Ｍ１から入射された光Ｌを正面側に反射する反射面である。図１、図４及び図５に示すように、上述した凹部３２は、最も正面側の頂点Ｃ２が軸受部２５よりも指針後端側に設けられている。
【００５３】
上述した第２の指針用反射面Ｍ２２としては、例えば図５（Ａ）に示すように設けることが考えられる。同図（Ａ）では、駆動軸２４よりも後端側に設けた頂点Ｃ２を通り駆動軸２４と平行な軸Ｃ３との成す角度θ１が指針後端から指針先端側に向かうに従って変化するように、第２の指針用反射面Ｍ２２が設けられている。より詳しく説明すると、角度θ１が指針後端から指針先端側に向かうに従って大きくなるように、第２の指針用反射面Ｍ２２が設けられている。
【００５４】
また、第２の指針用反射面Ｍ２２としては、例えば図５（Ｂ）に示すように設けることも考えられる。同図（Ｂ）では、角度θ１が指針後端から指針先端に向かっても全て同じになるように、第２の指針用反射面Ｍ２２が設けられている。また、上記第２の指針用反射面Ｍ２２としては、例えば図５（Ｃ）に示すように設けることも考えられる。同図（Ｃ）では、第１の指針用反射面Ｍ２１の中心軸Ｃ４上に頂点Ｃ２が位置するように、かつ中心軸Ｃ４との成す角度θ２が指針後端から指針先端側に向かっても全て同じになるように、第２の指針用反射面Ｍ２２が設けられている。
【００５５】
上記屈折面Ｍ７は、光導入部２８の指針本体部２７側に設けられている。屈折面Ｍ７は、第２の指針用反射面Ｍ２２から反射された光Ｌを第１の指針用反射面Ｍ２１に向けて屈折するように設けられる。
【００５６】
次に、上述した構成の指針照明装置の光源２１から出射された光Ｌの進み方について説明する。図３に示すように、光源２１は、中心軸Ｃ１と出射面Ｍ３との交点を中心とした放射状の光Ｌを出射する。放射状に出射された光Ｌは、入射面Ｍ４から導光部材２２内に入射される。
【００５７】
導光部材２２に入射された光Ｌは、入射面Ｍ４で中心軸Ｃ１から離れた側、即ち第１の導光用反射面Ｍ５１に向けて屈折される。その後、入射面Ｍ４から入射された光Ｌは、第１の導光用反射面Ｍ５１で反射されて駆動軸２４に沿った略平行光線Ｌｐに変換される。詳しくは、第１の導光用反射面Ｍ５１は、導光部材２２に入射された光Ｌのうち駆動軸２４に沿わないで進む光Ｌを駆動軸２４に沿った方向に反射する。駆動軸２４に沿った略平行光線Ｌｐは、第３の導光用反射面Ｍ５３で反射して駆動軸２４に向かう略平行光線Ｌｐに変換される。
【００５８】
その後、駆動軸２４に向かう略平行光線Ｌｐは、導光部材２２の出射面Ｍ６から出射されて、入射面Ｍ１から光導入部２８内に入射される。図１に示すように、入射面Ｍ１から入射された光Ｌは、第２の指針用反射面Ｍ２２で正面側の第１の指針用反射面Ｍ２１に向かって反射される。第２の指針用反射面Ｍ２２で反射された光Ｌは、屈折面Ｍ７で第１の指針用反射面Ｍ２１に向かうように屈折された後、第１の指針用反射面Ｍ２１に入射される。
【００５９】
その後、図６に示すように、第１の指針用反射面Ｍ２１に入射された光Ｌは、第１の指針用反射面Ｍ２１で指針先端に向かって反射される。指針先端に向かって反射された光Ｌは、第３の指針用反射面Ｍ２３で反射され、射出層３１に向けて反射される。そして、射出層３１で反射した光Ｌが第３の指針用反射面Ｍ２３を通過して運転者視点に到達して、指針が光輝しているように視認される。
【００６０】
上述した構成の指針照明装置によれば、導光部材２２の第１の導光用反射面Ｍ５１で変換された略平行光線Ｌｐが指針部材２０の入射面Ｍ１に導かれるので、略平行光線Ｌｐが第１の指針用反射面Ｍ２１、第２の指針用反射面Ｍ２２に入射され、第１の指針用反射面Ｍ２１、第２の指針用反射面Ｍ２２で反射する光のほとんどを指針先端に導くことができる。このため、第１の指針用反射面Ｍ２１、第２の指針用反射面Ｍ２２でのロスを低減して、指針を高輝度で発光させることができる。
【００６１】
また、上述した構成の指針照明装置によれば、導光部材２２の入射面Ｍ４が、光源２１の中心軸Ｃ１上が光源２１から離れた側に向かって最も凹む凹面に設けられているので、導光部材２２の入射面Ｍ４で光源２１からの光Ｌを第１の導光用反射面Ｍ５１に向けて屈折することができ、より多くの光Ｌを略平行光線Ｌｐに変換することができる。このため、より一層、指針の第１の指針用反射面Ｍ２１、第２の指針用反射面Ｍ２２でのロスを低減して、指針を高輝度で発光させることができる。
【００６２】
また、上述した構成の指針照明装置によれば、第１の導光用反射面Ｍ５１が、光源２１の中心軸Ｃ１を軸とした放物線状に設けられているので、第１の導光用反射面Ｍ５１によって光源２１から出射される光の全てを中心軸Ｃ１に沿った略平行光線Ｌｐに変換することができ、より一層、指針の第１の指針用反射面Ｍ２１、第２の指針用反射面Ｍ２２でのロスを低減して、指針を高輝度で発光させることができる。
【００６３】
また、上述した構成の指針照明装置によれば、第３の導光用反射面Ｍ５３が、第１の導光用反射面Ｍ５１で変換された駆動軸２４と平行な略平行光線Ｌｐを駆動軸２４に向かって反射して入射面Ｍ１に導くので、指針部材２０の入射面Ｍ１を駆動軸２４に沿った面にすることができ、駆動軸２４と平行な略平行光線Ｌｐを直接入射面Ｍ１に入射する場合に比べて入射面Ｍ１を大きくすることができる。このため、効率的に光源２１からの光Ｌを指針部材２０に入射することができ、指針を高輝度で発光させることができる。
【００６４】
また、上述した構成の指針照明装置によれば、入射面Ｍ１から入射された光Ｌが、軸受部２５が突設された凹部３２に設けた第２の指針用反射面Ｍ２２で反射されて第１の指針用反射面Ｍ２１に導かれるので、指針部材２０の回転位置に関係なく光源２１から出射されたほとんどの光Ｌを第１の指針用反射面Ｍ２１に入射することができる。このため、指針を高輝度で発光させることができる。
【００６５】
また、上述した構成の指針照明装置によれば、凹部３２のうち最も正面側の頂点Ｃ２が軸受部２５よりも指針後端側に設けられているので、第１の指針用反射面Ｍ２１と第２の指針用反射面Ｍ２２との距離をそんなに離間させなくても、簡単に第２の指針用反射面Ｍ２２に入射した光Ｌを駆動軸２４よりも後端側に設けられている第１の指針用反射面Ｍ２１に向けて反射することができる。このため、限られたスペース内で、図６に示すように、駆動軸２４よりも後端側も指針の発光領域にすることができる。
【００６６】
また、上述した構成の指針照明装置によれば、屈折面Ｍ７が第２の指針用反射面Ｍ２２から反射された光Ｌを第１の指針用反射面Ｍ２１に向けて屈折するので、第１の指針用反射面Ｍ２１と第２の指針用反射面Ｍ２２との距離をそんなに離間させなくても、屈折面Ｍ７により第２の指針用反射面Ｍ２２に入射した光Ｌを駆動軸２４よりも後端側に設けられている第１の指針用反射面Ｍ２１に向けて反射することができる。このため、限られたスペース内で、図６に示すように、駆動軸２４よりも後端側も指針の発光領域にすることができる。
【００６７】
なお、上述した実施形態によれば、凹部３２の最も正面側の頂点Ｃ２を駆動軸２４よりも後端側に設けることによって、第２の指針用反射面Ｍ２２で反射された光Ｌが駆動軸２４よりも後端側に設けられている第１の指針用反射面Ｍ２１に入射できるようにしていたが、本発明はこれに限ったものではない。第２の指針用反射面Ｍ２２は、第２の導光用反射面Ｍ５２からの光Ｌを正面側に向かって反射させるものであれば、どんな角度や形状であっても良い。
【００６８】
例えば、図７に示すように、駆動軸２４を中心に対象形状になるように、即ち凹部３２の最も正面側の頂点Ｃ２と軸受部２５とを一致させるように第２の指針用反射面Ｍ２２を設けてもよい。この場合、第２の指針用反射面Ｍ２２は、入射面Ｍ１から入射された光Ｌを反射して駆動軸２４沿いに向けて反射する。そして、屈折面Ｍ７が第２の指針用反射面Ｍ２２からの光Ｌを屈折して第１の指針用反射面Ｍ２１に向けて反射する。図７に示す例も、上記実施形態と同様に、屈折面Ｍ７により第１の指針用反射面Ｍ２１と第２の指針用反射面Ｍ２２との距離をそんなに離間させなくても、第２の指針用反射面Ｍ２２に入射した光Ｌを駆動軸２４よりも後端側に設けられている第１の指針用反射面Ｍ２１に向けて反射することができる。
【００６９】
また、第１の指針用反射面Ｍ２１と第２の指針用反射面Ｍ２２とをある程度離間することができれば、凹部３２の最も正面側の頂点Ｃ２と軸受部２５とを一致させても、第２の指針用反射面Ｍ２２で反射された光Ｌが駆動軸２４よりも後端側に設けられている第１の指針用反射面Ｍ２１に入射できる。
【００７０】
また、上述した実施形態によれば、駆動軸２４に向かう光Ｌを正面側に反射させる反射面である第２の指針用反射面Ｍ２２を駆動軸２４と共に回転する指針部材２０に設けていたが、本発明はこれに限ったものではない。
【００７１】
例えば、図８に示すように、第２の指針用反射面Ｍ２２の代わりに、駆動軸２４に向かう光Ｌを正面側に反射させる反射面である第４の導光用反射面Ｍ５４を導光部材２２に設けてもよい。なお、図８において、上述した図１について説明した指針照明装置と同等の部分には同一符号を付してその詳細な説明を省略する。同図に示すように、指針照明装置は、指針部材２０と、光源２１と、導光部材２２とを備えている。
【００７２】
導光部材２２は、入射面Ｍ４、第１の導光用反射面Ｍ５１、第３の導光用反射面Ｍ５３、第４の導光用反射面Ｍ５４及び出射面Ｍ６を有する。入射面Ｍ４、第１の導光用反射面Ｍ５１及び第３の導光用反射面Ｍ５３については上述した実施形態と同様であるためその詳細な説明は省略する。
【００７３】
第４の導光用反射面Ｍ５４は、駆動軸２４を囲むように設けられている。第４の導光用反射面Ｍ５４は、正面に向かうに従って駆動軸２４に近づくテーパ状の面であり、第３の導光用反射面Ｍ５３と対向するように設けられている。これにより、第４の導光用反射面Ｍ５４は、第３の導光用反射面Ｍ５３からの光Ｌを正面に向かって反射するように設けられている。第４の導光用反射面Ｍ５４は、駆動軸２４に沿った方向に光Ｌを反射する。そして、出射面Ｍ６は、導光部材２２の正面に駆動軸２４と直交するように設けられている。
【００７４】
指針部材２０は、一部品で設けられている。指針部材２０は、入射面Ｍ１、第１の指針用反射面Ｍ２１、第３の指針用反射面Ｍ２３及び射出層３１が設けられている。入射面Ｍ１は、駆動軸２４と直交するように設けられている。第１の指針用反射面Ｍ２１は、駆動軸２４より先端側にも設けられている。第３の指針用反射面Ｍ２３及び射出層３１は、図１について説明した指針照明装置と同等であるためその詳細な説明については省略する。
【００７５】
次に、上述した構成の指針照明装置の光源２１から出射された光Ｌの進み方について説明する。図８に示すように、光源２１から放射状に出射された光Ｌは、入射面Ｍ４から導光部材２２内に入射される。
【００７６】
導光部材２２に入射された光Ｌは、第１の導光用反射面Ｍ５１で反射されて駆動軸２４に沿った略平行光線Ｌｐに変換される。駆動軸２４に沿った略平行光線Ｌｐは、第３の導光用反射面Ｍ５３で反射して駆動軸２４に向かう略平行光線Ｌｐに変換される。その後、駆動軸２４に向かう略平行光線Ｌｐは、第４の導光用反射面Ｍ５４で駆動軸２４に沿った略平行光線Ｌｐに変換され、出射面Ｍ６から出射される。出射面Ｍ６から出射された光Ｌは、入射面Ｍ１から入射され、第１の指針用反射面Ｍ２１に入射される。
【００７７】
その後、第１の指針用反射面Ｍ２１に入射された光Ｌは、第１の指針用反射面Ｍ２１で指針先端に向かって反射される。指針先端に向かって反射された光Ｌは、第３の指針用反射面Ｍ２３で反射され、射出層３１に向けて反射される。そして、射出層３１で反射した光Ｌが第３の指針用反射面Ｍ２３を通過して運転者視点に到達して、指針が光輝しているように視認される。
【００７８】
上述した図８に示す指針照明装置によれば、第３の導光用反射面Ｍ５３からの光Ｌを正面側に向けて反射する第４の導光用反射面Ｍ５４も導光部材２２に設けているので、第３の導光用反射面Ｍ５３からの光Ｌを正面側に向けて反射する第４の導光用反射面Ｍ５４が回転することがなく、光源２１と第４の導光用反射面Ｍ５４との相対位置を固定することができるので、より一層光ムラの発生を防止することができる。
【００７９】
また、上述した第１実施形態によれば、上述した第１の導光用反射面Ｍ５１は、光源２１の出射面Ｍ３と中心軸Ｃ１との交点を焦点とした放物面に設けていたが、本発明はこれに限ったものではない。第１の導光用反射面Ｍ５１としては、光源２１から出射された放射状の光Ｌを反射して駆動軸２４に沿った略平行光線Ｌｐに変換するように、光源２１から離れるに従ってその接線Ｌｘと光源２１の中心軸Ｃ１との成す角度θｘが小さくなる曲面であればよく、放物面に設けていなくてもよい。
【００８０】
また、上述した第１実施形態によれば、指針部材２０には屈折面Ｍ７を設けていたが、本発明はこれに限ったものではない。例えば、第２の指針用反射面Ｍ２２のみ設けて、屈折面Ｍ７は設けなくてもよい。この場合、指針部材２０は、指針本体部２７と光導入部２８とを一体に設けてもよい。
【００８１】
また、上述した第１実施形態によれば、第２の指針用反射面Ｍ２２は、第３の導光用反射面Ｍ５３からの光Ｌを正面の指針後端寄りに傾けて反射することにより、第１の指針用反射面Ｍ２１を指針軸２４よりも指針後端に設けるようにしていたが、本発明はこれに限ったものではない。例えば、図９に示すように、第１の指針用反射面Ｍ２１を指針軸２４の指針先端にも設けるようにすれば、第２の指針用反射面Ｍ２２を駆動軸２４に沿って反射するように設けても良い。
【００８２】
また、上述した第１実施形態によれば、第１の導光用反射面Ｍ５１を一つの連続する曲面で設けていたが、本発明はこれに限ったものではない。例えば、図１０（Ａ）に示すように、複数の曲面から構成してもよいし、図１０（Ｂ）に示すように、複数の平面から構成してもよい。このように、複数の曲面、平面から設けることにより、第１の導光用反射面Ｍ５１で反射される光を確実に略平行光線Ｌｐに変換しやすくなる。
【００８３】
第２実施形態
次に、第２実施形態における本発明の指針照明装置を図面に基づいて説明する。図１１は、本発明の指針照明装置の第２実施形態を示す断面図である。図１２（Ａ）〜（Ｃ）はそれぞれ、図１１の指針照明装置を構成する導光部材２２の斜視図、正面図及び背面図である。図１３は、図１２（Ｂ）のＢ−Ｂ線断面図である。なお、図１１において、上述した図１について説明した指針照明装置と同等の部分には同一符号を付してその詳細な説明を省略する。同図に示すように、指針照明装置は、指針部材２０と、光源２１と、導光部材２２とを備えている。
【００８４】
導光部材２２は、図１２に示すように、光源２１に近づくに従って径が大きくなるような略円筒状に設けられている。導光部材２２は、入射面Ｍ４、駆動軸２４側に設けられた第１の導光用反射面Ｍ５１、駆動軸２４とは離れた側に設けられた第２の導光用反射面Ｍ５２及び出射面Ｍ６を有する。入射面Ｍ４は、光源２１に対向して配置され、光源２１の中心軸Ｃ１と垂直になるような平面に設けられている。
【００８５】
上記第２の導光用反射面Ｍ５２は、導光部材２２の外側面に設けられ、そして、光源２１からの光Ｌを反射して集光させつつ第１の導光用反射面Ｍ５１に導くように、光源２１から離れるに従ってその接線Ｌｘと光源２１の中心軸Ｃ１との成す角度θｘが大きくなるような曲面に設けられている。
【００８６】
上記第１の導光用反射面Ｍ５１は、導光部材２２の内側面のうち上記出射面Ｍ６と駆動軸２４方向に対向する部分に設けられている。第１の導光用反射面Ｍ５１は、第２の導光用反射面Ｍ５２からの光Ｌを反射して略平行光Ｌｐに変換するように、光源２１から離れるに従ってその接線Ｌｘと光源２１の中心軸Ｃ１との成す角度が大きくなるような曲面に設けられている。また、上記出射面Ｍ６は、図１２（Ａ）に示すように、リング状に設けられている。
【００８７】
上記指針部材２０は、一部品で設けられている。指針部材２０は、入射面Ｍ１、第１の指針用反射面Ｍ２１、第３の指針用反射面Ｍ２３及び射出層３１が設けられている。入射面Ｍ１は、駆動軸２４と直交するように設けられている。第１の指針用反射面Ｍ２１は、指針軸２４より先端側にも設けられている。第３の指針用反射面Ｍ２３及び射出層３１は、図１について説明した指針照明装置と同等であるためその詳細な説明については省略する。
【００８８】
次に、上述した構成の指針照明装置の光源２１から出射された光Ｌの進み方について説明する。図１１及び図１３に示すように、光源２１から放射状に出射された光Ｌは、入射面Ｍ４から導光部材２２内に入射される。
【００８９】
導光部材２２に入射された光Ｌは、第２の導光用反射面Ｍ５２で反射されて集光されつつ第１の導光用反射面Ｍ５１に導かれる。第１の導光用反射面Ｍ５１に導かれた光Ｌは、第１の導光用反射面Ｍ５１で反射されて駆動軸２４に沿った略平行光線Ｌｐに変換される。
【００９０】
その後、略平行光線Ｌｐは、出射面Ｍ６からリング状に出射され、指針部材２０の入射面Ｍ１から入射され、第１の指針用反射面Ｍ２１に入射される。第１の指針用反射面Ｍ２１に入射された光Ｌは、第１の指針用反射面Ｍ２１で指針先端に向かって反射される。指針先端に向かって反射された光Ｌは、第３の指針用反射面Ｍ２３で反射され、射出層３１に向けて反射される。そして、射出層３１で反射した光Ｌが第３の指針用反射面Ｍ２３を通過して運転者視点に到達して、指針が光輝しているように視認される。
【００９１】
上述した図１１に示す指針照明装置によれば、第１の導光用反射面Ｍ５１で変換された略平行光線Ｌｐが指針部材２０の入射面Ｍ１に導かれるので、略平行光線Ｌｐが第１の指針用反射面Ｍ２１に入射され、第１の指針用反射面Ｍ２１で反射する光のほとんどを指針先端に導くことができる。また、第２の導光用反射面Ｍ５２が、光源２１からの光を反射して集光させつつ第１の導光用反射面Ｍ５１に導くので、第２の導光用反射面Ｍ５２により一旦集光した後に第１の導光用反射面Ｍ５１で略平行光線Ｌｐに変換される。このため、第２の導光用反射面Ｍ５２の集光具合で導光部材２２の出射面Ｍ６の大きさを制御することができる。即ち、導光部材２２内に取り込む光量をできるだけ多くする為、導光部材２２の入射面Ｍ１の幅Ｗ１を大きくしても、高い効率を確保したまま出射面Ｍ６の幅Ｗ２大きさを小さくすることができる。
【００９２】
また、上述した図１１に示す指針照明装置によれば、第２の導光用反射面Ｍ５２が、少なくとも光源２１の中心軸Ｃ１上に設けられているので、最も強い光が出射される中心軸上の光を確実に第２の導光用反射面Ｍ５２に導いて略平行光線Ｌｐに変換することができる。これにより、より一層効果的に光源２１からの光を指針部材２０に入射することができる。
【００９３】
なお、上述した第２実施形態では、図１１に示すように、導光部材２２の出射面Ｍ６を平面で形成していたが、本発明はこれに限ったものではない。例えば、出射面Ｍ６を凸レンズ状、凹レンズ状に設けて、より効率的に光源２１からの光を指針部材２０に導くようにしてもよい。
【００９４】
また、上述した第２実施形態では、第１の導光用反射面Ｍ５１及び第２の導光用反射面Ｍ５２は一面で設けられていた。しかしながら、本発明はこれに限ったものではなく、例えば、図１４に示すように、第１の導光用反射面Ｍ５１及び第２の導光用反射面Ｍ５２それぞれ、２分割することも考えられる。
【００９５】
同図に示すように、導光部材２２には、光源２１の中心軸Ｃ１よりも駆動軸２４から離れた側の第２の導光用反射面Ｍ５２１と、駆動軸２４側の第２の導光用反射面Ｍ５２２と、が設けられている。また、導光部材２２には、第１の導光用反射面Ｍ５１１と、第１の導光用反射面Ｍ５１２と、が設けられている。
【００９６】
上記第２の導光用反射面Ｍ５２１、Ｍ５２２はそれぞれ、光源２１からの光Ｌ１を反射して集光させつつ第１の導光用反射面Ｍ５１１、Ｍ５１２に導くように、光源２１から離れるに従って光源２１の中心軸との成す角度が大きくなるように設けられている。第１の導光用反射面Ｍ５１１、Ｍ５１２はそれぞれ、第２の導光用反射面Ｍ５２１、Ｍ５２２から導かれた光を略平行光線Ｌｐに変換するように、光源２１から離れるに従って光源２１の中心軸との成す角度が大きくなるように設けられている。
【００９７】
光源２１からの入射光線は、中心軸Ｃ１を境に光線の方向性が反転するため、第１の導光用反射面Ｍ５１、第２の導光用反射面Ｍ５２を分割することでそれぞれの方向性の光に最適な形状に設定することができる。これにより、より高い出射平行度を達成することができる。また、図１４に示す例では、２分割に設けていたが、本発明はこれに限ったものではなく、３分割、４分割としてもよい。また、図１４に示す例では、第１の導光用反射面Ｍ５１、第２の導光用反射面Ｍ５２を複数の曲面で構成していたが、例えば複数の平面で構成してもよい。
【００９８】
また、上述した第２実施形態によれば、第１の導光用反射面Ｍ５１で反射された光Ｌはその後反射されることなく、直ちに出射面Ｍ６から出射していたが、本発明はこれに限ったものではない。例えば、図１に示す第１実施形態と同様に、導光部材２２に第３の導光用反射面Ｍ５３を設けて、略平行光線Ｌｐを駆動軸２４に向けて反射した後に出射するようにしてもよい。このように第３の導光用反射面Ｍ５３を設けた場合、指針部材２０も図１や図５に示すように設けてもよい。
【００９９】
また、上述した第１及び第２実施形態によれば、第１の導光用反射面Ｍ５１は、光源２１から出射された放射状の光Ｌを反射して略平行光線Ｌｐに変換するように設けていた。ここで略平行光線Ｌｐについて説明する。
【０１００】
本発明者らは、上述した構成の指針照明装置において、第１の導光用反射面Ｍ５１での反射角度を０〜±４０°の範囲で変化させた場合の相対反射効率を測定した。結果を図１５に示す。なお、反射角度とは、第１の導光用反射面Ｍ５１で反射された光と中心軸Ｃ１との成す角度である。また、反射効率とは、光源２１から出射された光量に対する指針部材２０に入射される光量の割合である反射効率であり、相対反射効率とは、第１の導光用反射面Ｍ５１での反射角度が０°のときの反射効率を１とした場合、反射角度を±４０の範囲で変化させた時の反射効率である。
【０１０１】
同図に示すように、反射角度が０°〜１０°の範囲では８０％以上の高い相対出射効率が得られ、また１０°を超えると相対出射効率が悪くなる。従って、第１の導光用反射面Ｍ５１は略平行光線Ｌｐのばらつきが０〜１０°の範囲内となるように設ければよい。
【０１０２】
また、上述した第１及び第２実施形態によれば、光源２１は３つ設けられていたが、本発明はこれに限ったものではない。光源２１は、２つ設けても、３つ以上設けてもよい。
【０１０３】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【０１０４】
【図１】本発明の指針照明装置の第１実施形態を示す断面図である。
【図２】（Ａ）〜（Ｃ）はそれぞれ、図１の指針照明装置を構成する導光部材の斜視図、正面図及び背面図である。
【図３】図２（Ｂ）のＡ−Ａ線断面図である。
【図４】図１の指針照明装置を構成する光導入部の背面図である。
【図５】（Ａ）〜（Ｃ）はそれぞれ、図１の指針照明装置を構成する光導入部の一例を示す断面図である。
【図６】図１の指針照明装置を構成する指針本体部の部分断面図である。
【図７】他の実施形態における光導光部の断面図である。
【図８】他の実施形態における指針照明装置を示す断面図である。
【図９】他の実施形態における指針照明装置を示す断面図である。
【図１０】他の実施形態における第１の導光用反射面を示す概略図である。
【図１１】本発明の指針照明装置の第２実施形態を示す断面図である。
【図１２】（Ａ）〜（Ｃ）はそれぞれ、図１１に示す指針照明装置を構成する導光部材の斜視図、正面図及び背面図である。
【図１３】図１２（Ｂ）のＢ−Ｂ線断面図である。
【図１４】他の実施形態における導光部材を示す断面図である。
【図１５】第１の導光用反射面での反射角度と相対出射効率との関係を示すグラフである。
【図１６】従来の指針照明装置の一例を示す概念図である。
【図１７】図１６に示す指針照明装置の正面概念図である。
【図１８】従来の指針照明装置の一例を示す概念図である。
【図１９】図１８に示す指針照明装置の部分拡大図である。
【符号の説明】
【０１０５】
２０    指針部材
２１    光源
２２    導光部材
２４    駆動軸
２５    軸受部
２７    指針本体部
２８    光導入部
３２    凹部
Ｃ１    光源の中心軸
Ｃ２    頂点
Ｌ      光
Ｌｐ    平行光線
Ｌｘ    接線
Ｍ１    入射面
Ｍ４    入射面
Ｍ２１  第１の指針用反射面
Ｍ２２  第２の指針用反射面
Ｍ５１  第１の導光用反射面
Ｍ５２  第２の導光用反射面
Ｍ５３  第３の導光用反射面
Ｍ７    屈折面
【図１】
2008197083.tif 000003
【図２】
2008197083.tif 000004
【図３】
2008197083.tif 000005
【図４】
2008197083.tif 000006
【図５】
2008197083.tif 000007
【図６】
2008197083.tif 000008
【図７】
2008197083.tif 000009
【図８】
2008197083.tif 000010
【図９】
2008197083.tif 000011
【図１０】
2008197083.tif 000012
【図１１】
2008197083.tif 000013
【図１２】
2008197083.tif 000014
【図１３】
2008197083.tif 000015
【図１４】
2008197083.tif 000016
【図１５】
2008197083.tif 000017
【図１６】
2008197083.tif 000018
【図１７】
2008197083.tif 000019
【図１８】
2008197083.tif 000020
【図１９】
2008197083.tif 000021